(57)【要約】【課題】画像データに文字情報のほか、音声情報など多彩で量の多い情報を他のアプリケーションとの互換性を保ちながらも付加することができる画像データへの付加情報記録可能撮像装置及び画像データへの付加情報記録方法を提供する。【解決手段】ＲＯＭ７５には、ＣＰＵブロック６９にて解読可能なコードで記述された制御プログラムや制御するためのパラメータが格納されている。デジタルカメラの電源がオン状態になると、プログラムに従って装置各部の動作を制御すると共に、制御に必要なデータ等を一時的にＲＡＭ７３およびデジタルスチルカメラプロセッサ６２内にあるＬｏｃａｌ    ＳＲＡＭ７１に保存する。【選択図】        図２
2004236043.tif 000002
【特許請求の範囲】
【請求項１】
デジタル画像への入力装置であって、
画像ファイルに付加情報を付加する時に画像ファイルとは別ファイルに定義されている付加情報リストファイルを検索する検索手段と、
前記付加情報を表示画面に表示する第１表示手段と、
前記付加情報から必要な付加情報を選択する選択手段と、
前記選択手段によって選択された付加情報を前記表示画面に表示する第２表示手段と、
前記付加情報を作成する作成手段と、
付加情報を前記画像ファイルに埋め込む埋め込み手段と、
前記付加情報が付加された前記画像ファイルを記憶する記憶手段を有することを特徴とする画像データへの付加情報記録可能撮像装置。
【請求項２】
前記検索手段は、決められたファイル名のファイルもしくは決められた拡張子のファイルを検索することを特徴する請求項１記載の画像データへの付加情報記録可能撮像装置。
【請求項３】
前記検索手段は、検索結果で前記付加情報リストファイルが無い場合に前記付加情報ファイルが無いことを警告表示する警告表示手段を有することを特徴とする請求項１または２記載の画像データへの付加情報記録可能撮像装置。
【請求項４】
前記検索手段は、検索結果で前記付加情報リストファイルがあった場合に、前記付加情報リストファイルを読み込む読み込み手段を有することを特徴とする請求項３記載の画像データへの付加情報記録可能撮像装置。
【請求項５】
前記読み込み手段は、読み込んだ前記付加情報リストファイルを表示することを特徴とする請求項４記載の画像データへの付加情報記録可能撮像装置。
【請求項６】
前記付加情報は、少なくとも１つの名称を示す名称テキストデータと、前記名称テキストデータに対応する名称の内容もしくは説明を示す内容テキストデータであることを特徴とする請求項１から５のいずれか１項に記載の画像データへの付加情報記録可能撮像装置。
【請求項７】
前記内容テキストデータは、１つの名称テキストデータに対応する前記内容テキストデータとして複数個の選択肢を有するリスト構造として付加されているための情報が定義されているファイルに定義されていることを特徴とする請求項６記載の画像データへの付加情報記録可能撮像装置。
【請求項８】
前記選択手段は、前記第１表示手段によって表示された付加情報表示画面から前記名称テキストを選択すると前記内容テキストを選択することができることを特徴とする請求項６記載の画像データへの付加情報記録可能撮像装置。
【請求項９】
前記第１表示手段が表示している前記付加情報表示画面は、初期状態では前記内容テキストは未設定状態であり、前記選択手段によって未設定を選択することで前記内容テキストを前記未設定にできることを特徴とする請求項８記載の画像データへの付加情報記録可能撮像装置。
【請求項１０】
前記第２表示手段は、前記選択手段によって選択された前記内容テキストと前記名称テキストを表示し、初期状態であった前記付加情報表示画面を前記画像ファイルに前記内容テキストと前記名称テキストとを付加した表示画面に更新することを特徴とする請求項８記載の画像データへの付加情報記録撮像装置。
【請求項１１】
前記埋め込み手段は、前記作成手段によって作成された前記付加情報を前記画像ファイルに埋め込むことを特徴とする請求項１から１０のいずれか１項に記載の画像データへの付加情報記録可能撮像装置。
【請求項１２】
前記内容テキストデータは、前記テキストデータ以外に音声データといった関連情報を含むことを特徴とする請求項６記載の画像データへの付加情報記録可能撮像装置。
【請求項１３】
前記選択手段は、前記内容テキストの代わりに前記関連情報を選択できることを特徴とする請求項１２記載の画像データへの付加情報記録可能撮像装置。
【請求項１４】
前記選択手段は、１つの前記名称テキストデータに対して前記内容テキストと前記関連情報の両方を選択できることを特徴とする請求項１２記載の画像データへの付加情報記録可能撮像装置。
【請求項１５】
前記関連情報は、前記テキストデータとは別々のセグメントに格納されていることを特徴とする請求項１２記載の画像データへの付加情報記録可能撮像装置。
【請求項１６】
前記付加情報は、複数の前記セグメントを管理するための共通ヘッダを有することを特徴とする請求項１から１５記載の画像データへの付加情報記録可能撮像装置。
【請求項１７】
前記付加情報は、前記画像ファイル内の再生の互換性とは無関係であるアプリケーションマーカーセグメントに格納することを特徴とする請求項１６記載の画像データへの付加情報記録可能撮像装置。
【請求項１８】
前記アプリケーションマーカーセグメントは、撮影時に関する情報を格納する場合に、別のアプリケーションマーカーセグメントを使用することを特徴とする請求項１７記載の画像データへの付加情報記録可能撮像装置。
【請求項１９】
前記アプリケーションマーカーセグメントは、前記付加情報が６４ｋｂｙｔｅ  を超える場合でも同じ前記アプリケーションマーカーセグメントを使用することを特徴とする請求項１７記載の画像データへの付加情報記録可能撮像装置。
【請求項２０】
前記画像ファイルがＪＰＥＧ準拠以外のものである場合に、ＪＰＥＧ準拠の前記付加情報と同じフォーマットで情報を付加することを特徴とする請求項１から１９のいずれか１項に記載の画像データへの付加情報記録可能撮像装置。
【請求項２１】
前記画像データの付加情報記録可能撮像装置は、前記関連情報に含まれる音声データを再生する再生手段を有することを特徴する請求項１から２０のいずれか１項に記載の画像データへの付加情報記録可能撮像装置。
【請求項２２】
デジタル画像への入力装置であって、
画像ファイルに付加情報を付加するときに画像ファイルとは別ファイルに定義されている付加情報リストファイルを検索する検索工程と、
前記付加情報を表示画面に表示する第１表示工程と、
前記付加情報から必要な付加情報を選択する選択工程と、
前記選択工程によって選択された前記付加情報を前記表示画面に表示する第２表示工程と、
前記付加情報を作成する作成工程と、
前記付加情報を前記画像ファイルに埋め込む埋め込み工程と、
前記付加情報が付加された前記画像ファイルを記憶する記憶工程とを有することを特徴とする画像データへの付加情報記録方法。
【請求項２３】
前記検索工程は、決められたファイル名のファイルもしくは決められた拡張子のファイルを検索することを特徴する請求項２２記載の画像データへの付加情報記録方法。
【請求項２４】
前記検索工程は、検索結果で前記付加情報リストファイルが無い場合に前記付加情報ファイルが無いことを警告表示する警告表示工程を有することを特徴とする請求項２２または２３記載の画像データへの付加情報記録方法。
【請求項２５】
前記検索工程は、検索結果で前記付加情報リストファイルがあった場合に、前記付加情報リストファイルを読み込む読み込み工程を有することを特徴とする請求項２４記載の画像データへの付加情報記録方法。
【請求項２６】
前記読み込み工程は、読み込んだ前記付加情報リストファイルを表示することを特徴とする請求項２５記載の画像データへの付加情報記録方法。
【請求項２７】
前記付加情報は、少なくとも１つの名称を示す名称テキストデータと、前記名称テキストデータに対応する名称の内容もしくは説明を示す内容テキストデータであることを特徴とする請求項２２から２６のいずれか１項に記載の画像データへの付加情報記録方法。
【請求項２８】
前記内容テキストデータは、１つの前記名称テキストデータに対応する前記内容テキストデータとして複数個の選択肢を有するリスト構造として付加されているための情報が定義されているファイルに定義されていることを特徴とする請求項２７記載の画像データへの付加情報記録方法。
【請求項２９】
前記選択工程は、前記第１表示工程によって表示された付加情報表示画面から前記名称テキストを選択すると前記内容テキストを選択することができることを特徴とする請求項２７記載の画像データへの付加情報記録方法。
【請求項３０】
前記第１表示工程が表示している前記付加情報表示画面は、初期状態では内容テキストは未設定状態であり、前記選択工程によって未設定を選択することで前記内容テキストを前記未設定にできることを特徴とする請求項２９記載の画像データへの付加情報記録方法。
【請求項３１】
前記第２表示工程は、前記選択工程によって選択された前記内容テキストと前記名称テキストを表示し、初期状態であった前記付加情報表示画面を画像ファイルに前記内容テキストと前記名称テキストとを付加した表示画面に更新することを特徴とする請求項２９記載の画像データへの付加情報記録方法。
【請求項３２】
前記埋め込み工程は、前記作成工程によって作成された前記付加情報を前記画像ファイルに埋め込むことを特徴とする請求項２２から３１のいずれか１項に記載の画像データへの付加情報記録方法。
【請求項３３】
前記内容テキストデータは、前記テキストデータ以外に音声データといった関連情報を含むことを特徴とする請求項２７記載の画像データへの付加情報記録方法。
【請求項３４】
前記選択工程は、前記内容テキストの代わりに前記関連情報を選択できることを特徴とする請求項３３記載の画像データへの付加情報記録方法。
【請求項３５】
前記選択工程は、１つの前記名称テキストデータに対して内容テキストと前記関連情報の両方を選択できることを特徴とする請求項３３記載の画像データへの付加情報記録方法。
【請求項３６】
前記画像データへの付加情報記録方法は、前記関連情報に含まれる音声データを再生する再生工程を有することを特徴する請求項２２から３５のいずれか１項に記載の画像データへの付加情報記録方法。
【発明の詳細な説明】
【０００１】
【発明の属する技術分野】
本発明は、デジタルカメラといった撮像装置に関し、特に画像データに画像データ以外の情報を付加する画像データの付加情報記録可能撮像装置及び画像データへの付加情報記録方法に関する。
【０００２】
【従来の技術】
従来から画像データに画像以外の情報を関連付けたり、画像ファイルのタグに撮影情報のデータを記述するといった方法があった。
【０００３】
また従来の技術として以下のような先行技術がある。
必要な被写体の取り忘れや作業漏れを防止し、画像付きの文書を作成することが可能な画像入力装置がある。この従来技術では、記録すべき被記録対象の１または複数のカット名を含む撮影リストを入力し、撮影リストに含まれるカット名を表示部に表示し、撮影リストのカット名を確認しながら撮影を行う（特許文献１参照）。
【０００４】
【特許文献１】
特開２００２−１５８９５３号公報
【０００５】
【発明が解決しようとする課題】
しかしながら、他のアプリケーションとの互換性を保とうとした場合に、例えばＪＰＥＧフォーマットの画像の場合に、ヘッダのフォーマットに規定があり、情報量の多い付加情報を付加した場合、ＪＰＥＧに準拠しない画像になってしまい他のアプリケーションとの互換性が取れなくなってしまう。
【０００６】
本発明は係る問題に鑑みてなされたものであり、画像データに文字情報の他、音声情報など多彩で量の多い情報を他のアプリケーションとの互換性を保ちながらも付加することを可能とする画像データの付加情報記録可能撮像装置及び画像データへの付加情報記録方法を提供することを目的とする。
【０００７】
【課題を解決するための手段】
上記目的を達成するために、請求項１記載の画像データへの付加情報記録可能撮像装置は、デジタル画像への入力装置であって、画像ファイルに付加情報を付加する時に画像ファイルとは別ファイルに定義されている付加情報リストファイルを検索する検索手段と、付加情報を表示画面に表示する第１表示手段と、付加情報から必要な付加情報を選択する選択手段と、選択手段によって選択された付加情報を表示画面に表示する第２表示手段と、付加情報を作成する作成手段と、付加情報を画像ファイルに埋め込む埋め込み手段と、付加情報が付加された画像ファイルを記憶する記憶手段を有することを特徴とする。
【０００８】
請求項２記載の発明は、請求項１記載の画像データへの付加情報記録可能撮像装置であって、検索手段は、決められたファイル名のファイルもしくは決められた拡張子のファイルを検索することを特徴する。
【０００９】
請求項３記載の発明は、請求項１または２記載の画像データへの付加情報記録可能撮像装置であって、検索手段は、検索結果で付加情報リストファイルが無い場合に情報ファイルが無いことを警告表示する警告表示手段を有することを特徴とする。
【００１０】
請求項４記載の発明は、請求項３記載の画像データへの付加情報記録可能撮像装置であって、検索手段は、検索結果で付加情報リストファイルがあった場合に、付加情報リストファイルを読み込む読み込み手段を有することを特徴とする。
【００１１】
請求項５記載の発明は、請求項４記載の画像データへの付加情報記録可能撮像装置であって、読み込み手段は、読み込んだ付加情報リストファイルを表示することを特徴とする。
【００１２】
請求項６記載の発明は、請求項１から５のいずれか１項に記載の画像データへの付加情報記録可能撮像装置であって、付加情報は、少なくとも１つの名称を示す名称テキストデータと、名称テキストデータに対応する名称の内容もしくは説明を示す内容テキストデータであることを特徴とする。
【００１３】
請求項７記載の発明は、請求項６記載の画像データへの付加情報記録可能撮像装置であって、内容テキストデータは、１つの名称テキストデータに対応する内容テキストデータとして複数個の選択肢を有するリスト構造として付加されているための情報が定義されているファイルに定義されていることを特徴とする。
【００１４】
請求項８記載の発明は、請求項６記載の画像データへの付加情報記録可能撮像装置であって、選択手段は、第１表示手段によって表示された付加情報表示画面から名称テキストを選択すると内容テキストを選択することができることを特徴とする。
【００１５】
請求項９記載の発明は、請求項８記載の画像データへの付加情報記録可能撮像装置であって、第１表示手段が表示している付加情報表示画面は、初期状態では内容テキストは未設定状態であり、選択手段によって未設定を選択することで内容テキストを未設定にできることを特徴とする。
【００１６】
請求項１０記載の発明は、請求項８記載の画像データへの付加情報記録可能撮像装置であって、第２表示手段は、選択手段によって選択された内容テキストと名称テキストを表示し、初期状態であった付加情報表示画面を画像ファイルに内容テキストと名称テキストとを付加した表示画面に更新することを特徴とする。
【００１７】
請求項１１記載の発明は、請求項１から１０のいずれか１項に記載の画像データへの付加情報記録可能撮像装置であって、埋め込み手段は、作成手段によって作成された付加情報を画像ファイルに埋め込むことを特徴とする。
【００１８】
請求項１２記載の発明は、請求項６記載の画像データへの付加情報記録可能撮像装置であって、内容テキストデータは、テキストデータ以外に音声データといった関連情報を含むことを特徴とする。
【００１９】
請求項１３記載の発明は、請求項１２記載の画像データへの付加情報記録可能撮像装置であって、選択手段は、内容テキストの代わりに関連情報を選択できることを特徴とする。
【００２０】
請求項１４記載の発明は、請求項１２記載の画像データへの付加情報記録可能撮像装置であって、選択手段は、１つの名称テキストデータに対して内容テキストと関連情報の両方を選択できることを特徴とする。
【００２１】
請求項１５記載の発明は、請求項１２記載の画像データへの付加情報記録可能撮像装置であって、関連情報は、テキストデータとは別々のセグメントに格納されていることを特徴とする。
【００２２】
請求項１６記載の発明は、請求項１から１５のいずれか１項に記載の画像データへの付加情報記録可能撮像装置であって、付加情報は、複数のセグメントを管理するための共通ヘッダを有することを特徴とする。
【００２３】
請求項１７記載の発明は、請求項１６記載の画像データへの付加情報記録可能撮像装置であって、付加情報は、画像ファイル内の再生の互換性とは無関係であるアプリケーションマーカーセグメントに格納することを特徴とする。
【００２４】
請求項１８記載の発明は、請求項１７記載の画像データへの付加情報記録可能撮像装置であって、アプリケーションマーカーセグメントは、撮影時に関する情報を格納する場合に、別のアプリケーションマーカーセグメントを使用することを特徴とする。
【００２５】
請求項１９記載の発明は、請求項１７記載の画像データへの付加情報記録可能撮像装置であって、アプリケーションマーカーセグメントは、付加情報が６４ｋｂｙｔｅ  を超える場合でも同じアプリケーションマーカーセグメントを使用することを特徴とする。
【００２６】
請求項２０記載の発明は、請求項１から１９のいずれか１項に記載の画像データへの付加情報記録可能撮像装置であって、画像ファイルがＪＰＥＧ準拠以外のものである場合に、ＪＰＥＧ準拠の付加情報と同じフォーマットで情報を付加することを特徴とする。
【００２７】
請求項２１記載の発明は、請求項１から２０のいずれか１項に記載の画像データへの付加情報記録可能撮像装置であって、画像データの付加情報記録可能撮像装置は、関連情報に含まれる音声データを再生する再生手段を有することを特徴する。
【００２８】
請求項２２記載の画像データへの付加情報記録方法は、デジタル画像への入力装置であって、画像ファイルに付加情報を付加するときに画像ファイルとは別ファイルに定義されている付加情報リストファイルを検索する検索工程と、付加情報を表示画面に表示する第１表示工程と、付加情報から必要な付加情報を選択する選択工程と、選択工程によって選択された付加情報を表示画面に表示する第２表示工程と、付加情報を作成する作成工程と、付加情報を画像ファイルに埋め込む埋め込み工程と、付加情報が付加された画像ファイルを記憶する記憶工程とを有することを特徴とする。
【００２９】
請求項２３記載の発明は、請求項２２記載の画像データへの付加情報記録方法であって、検索工程は、決められたファイル名のファイルもしくは決められた拡張子のファイルを検索することを特徴する。
【００３０】
請求項２４記載の発明は、請求項２２または２３記載の画像データへの付加情報記録方法であって、検索工程は、検索結果で付加情報リストファイルが無い場合に情報ファイルが無いことを警告表示する警告表示工程を有することを特徴とする。
【００３１】
請求項２５記載の発明は、請求項２４記載の画像データへの付加情報記録方法であって、検索工程は、検索結果で付加情報リストファイルがあった場合に、付加情報リストファイルを読み込む読み込み工程を有することを特徴とする。
【００３２】
請求項２６記載の発明は、請求項２５記載の画像データへの付加情報記録方法であって、読み込み工程は、読み込んだ付加情報リストファイルを表示することを特徴とする。
【００３３】
請求項２７記載の発明は、請求項２２から２６のいずれか１項に記載の画像データへの付加情報記録方法であって、付加情報は、少なくとも１つの名称を示す名称テキストデータと、名称テキストデータに対応する名称の内容もしくは説明を示す内容テキストデータであることを特徴とする。
【００３４】
請求項２８記載の発明は、請求項２７記載の画像データへの付加情報記録方法であって、内容テキストデータは、１つの名称テキストデータに対応する内容テキストデータとして複数個の選択肢を有するリスト構造として付加されているための情報が定義されているファイルに定義されていることを特徴とする。
【００３５】
請求項２９記載の発明は、請求項２７記載の画像データへの付加情報記録方法であって、選択工程は、第１表示工程によって表示された付加情報表示画面から名称テキストを選択すると内容テキストを選択することができることを特徴とする。
【００３６】
請求項３０記載の発明は、請求項２９記載の画像データへの付加情報記録方法であって、第１表示工程が表示している付加情報表示画面は、初期状態では内容テキストは未設定状態であり、選択工程によって未設定を選択することで内容テキストを未設定にできることを特徴とする。
【００３７】
請求項３１記載の発明は、請求項２９記載の画像データへの付加情報記録方法であって、第２表示工程は、選択工程によって選択された内容テキストと名称テキストを表示し、初期状態であった付加情報表示画面を画像ファイルに内容テキストと名称テキストとを付加した表示画面に更新することを特徴とする。
【００３８】
請求項３２記載の発明は、請求項２２から３１のいずれか１項に記載の画像データへの付加情報記録方法であって、埋め込み工程は、作成工程によって作成された付加情報を画像ファイルに埋め込むことを特徴とする。
【００３９】
請求項３３記載の発明は、請求項２７記載の画像データへの付加情報記録方法であって、内容テキストデータは、テキストデータ以外に音声データといった関連情報を含むことを特徴とする。
【００４０】
請求項３４記載の発明は、請求項３３記載の画像データへの付加情報記録方法であって、選択工程は、内容テキストの代わりに関連情報を選択できることを特徴とする。
【００４１】
請求項３５記載の発明は、請求項３３記載の画像データへの付加情報記録方法であって、選択工程は、１つの名称テキストデータに対して内容テキストと関連情報の両方を選択できることを特徴とする。
【００４２】
請求項３６記載の発明は、請求項２２から３５のいずれか１項に記載の画像データへの付加情報記録方法であって、画像データの付加情報記録可能撮像装置は、関連情報に含まれる音声データを再生する再生手段を有することを特徴する。
【００４３】
【発明の実施の形態】
次に添付図面を参照して本発明の実施形態を説明する。
図１は、デジタルカメラの外観を示した図である。
本発明である画像に情報を付加する装置であるデジタルカメラは、レリーズシャッタ（ＳＷ１）１とモードダイアル（ＳＷ２）２、サブＬＣＤ３、ＳＤカード／電池蓋４、ストロボ発光部５、光学ファインダ６、測距ユニット７、リモコン受光部８、鏡胴ユニット９、ＡＦ  ＬＥＤ１０、ストロボＬＥＤ１１、ＺＯＯＭＳＷ（ＷＩＤＥ）（ＳＷ３）１２、ＺＯＯＭ  ＳＷ（ＴＥＬＥ）（ＳＷ４）１３、セルフタイマ／削除ＳＷ（ＳＷ５）、ＭＥＮＵ  ＳＷ（ＳＷ６）１５、上／ストロボＳＷ（ＳＷ７）、右ＳＷ（ＳＷ８）、ＤＩＳＰＬＡＹ  ＳＷ（ＳＷ９）１８、下／マクロＳＷ（ＳＷ１０）１９、左／画像確認ＳＷ（ＳＷ１１）２０、ＯＫ  ＳＷ（ＳＷ１２）、ＬＣＤモニタ２２、電源ＳＷ２３から構成されている。
【００４４】
図２は、デジタルカメラの構成を示したブロック図である。
鏡胴ユニット９は、被写体の光学画像を取り込むＺＯＯＭレンズ３１、ＺＯＯＭモータ４０からなるＺＯＯＭ光学系３０、フォーカスレンズ３３、フォーカスモータ４１からなるフォーカス光学系３２、絞り３５、絞りモータ４２からなる絞りユニット３４、メカシャッタ３７、メカシャッタモータ４３からなるメカシャッタユニット３６、各モータを駆動させるモータドライバ４４を有する。
モータドライバ４４は、リモコン受光部８、入力や操作部キーユニット（ＳＷ１〜ＳＷ１３）の操作入力に基づく。デジタルスチルカメラプロセッサ６２内にあるＣＰＵブロック６９からの駆動指令により駆動制御される。
【００４５】
ＲＯＭ７５には、ＣＰＵブロック６９にて解読可能なコードで記述された制御プログラムや制御するためのパラメータが格納されている。デジタルカメラの電源がオン状態になると、プログラムは図示しないメインメモリにロードされ、ＣＰＵブロック６９は、プログラムに従って装置各部の動作を制御すると共に、制御に必要なデータなどを一時的にＲＡＭ７３およびデジタルスチルカメラプロセッサ６２内にあるＬｏｃａｌ  ＳＲＡＭ７１に保存する。
【００４６】
ＲＯＭ７５に書き換え可能なフラッシュＲＯＭを使用することで、制御プログラムや制御するためのパラメータを変更することが可能となり、機能のバージョンアップが容易に行える。
ＣＣＤ５１は、光学画像を光電変換するための固定撮像素子であり、Ｆ／Ｅ（フロントエンド）−ＩＣ５６は、画像ノイズ除去用相関二重サンプリングを行うＣＤＳ５２、利得調整を行うＡＧＣ５３、デジタル信号変換を行うＡ／Ｄ５４、ＣＣＤ信号処理ブロック６５より、垂直同期信号（以下ＶＤ）、水平同期信号（以下ＨＤ）及びＦ／Ｅ―ＩＣ５６の駆動タイミング信号を発生するＴＧ５５を有する。
【００４７】
デジタルスチルカメラプロセッサ６２は、ＣＣＤ５１よりＦ／Ｅ―ＩＣ５６の出力データにホワイトバランス設定やガンマ設定を行い、ＶＤ、ＨＤを供給するＣＣＤ１信号処理ブロック６５、フィルタリング処理により、輝度データ・色差データへの変換を行うＣＣＤ２信号処理ブロック６７、装置各部の動作を制御するＣＰＵブロック６９、制御に必要なデータなどを一時的に保存するＬｏｃａｌＳＲＡＭ７１、パソコンなどの外部機器とＵＳＢ通信を行うＵＳＢブロック６３、パソコンなどの外部機器とシリアル通信を行うシリアルブロック６４、ＪＰＥＧ圧縮・伸張を行うＪＰＥＧ  ＣＯＤＥＣブロック６６、画像データのサイズを補間処理により拡大／縮小するＲＥＳＩＺＥブロック６８、画像データを液晶モニタやＴＶなどの外部表示機器に表示するためのビデオ信号に変換するＴＶ信号表示ブロック７０、撮影された画像データを記録するメモリカードの制御を行うメモリカードブロック７２を有する。
【００４８】
ＳＤＲＡＭ６１は、デジタルスチルカメラプロセッサ６２で画像データに各種処理を施す際に、画像データを一時的に保存する。保存される画像データは、例えば、ＣＣＤ５１からＦ／Ｅ―ＩＣ５６を経由して取り込んでＣＣＤ１信号処理ブロック６５でホワイトバランス設定、ガンマ設定が行われた状態の「ＲＡＷ−ＲＧＢ画像データ」やＣＣＤ２信号処理ブロック６７で輝度データ・色差データ変換が行われた状態の「ＹＵＶ画像データ」、ＪＰＥＧ  ＣＯＤＥＣブロック６６でＪＰＥＧ圧縮された「ＪＰＥＧ画像データ」などがある。
【００４９】
メモリカードスロットル８２は、着脱可能なメモリカードを装着するためのスロットルである。内蔵メモリ７４は、メモリカードスロットル８２にメモリカード装着されていない場合でも、撮影した画像データを記憶できるようにするためのメモリである。
【００５０】
ＬＣＤドライバ７９は、ＬＣＤモニタ２２に駆動するドライブ回路であり、ＴＶ信号表示ブロック７０から出力されたビデオ信号をＬＣＤモニタ２２に表示するための信号に変換する機能も有している。ＬＣＤモニタ２２は、撮影前に被写体の状態を監視し、撮影した画像を確認するメモリカードや内蔵メモリ７４に記録した画像データを表示するといった処理を行うモニタである。
【００５１】
ビデオＡＭＰ８０は、ＴＶ信号表示ブロック７０から出力されたビデオ信号を７５Ωインピーダンス変換するためのアンプであり、ビデオジャック８１は、ＴＶなどの外部表示機器と接続するためのジャックである。ＵＳＢコネクタ７６は、パソコンなどの外部機器とＵＳＢ接続を行うためのコネクタである。
【００５２】
シリアルドライバ回路７７は、パソコンなどの外部機器とシリアル通信を行うために、シリアルブロック６４の出力信号を電圧変換するための回路であり、ＲＳ−２３２Ｃコネクタは、パソコンなどの外部機器とシリアル接続を行うためのコネクタである。
【００５３】
ＳＵＢ−ＣＰＵ５９は、ＲＯＭ・ＲＡＭをワンチップに内蔵したＣＰＵであり、操作キーユニット（ＳＷ１〜ＳＷ１３）やリモコン受光部８の出力信号をユーザの操作情報として、ＣＰＵブロック６９に出力したり、ＣＰＵブロック６９より出力されるカメラの状態をサブＬＣＤ３、ＡＦ  ＬＥＤ１０、ストロボＬＥＤ７、ブザー６０の制御信号に変換して出力する。
【００５４】
サブＬＣＤ３は、例えば撮影可能枚数など表示するための表示部であり、ＬＣＤドライバ７９は、ＳＵＢ−ＣＰＵ５９の出力信号よりサブＬＣＤ３を駆動するためのドライブ回路である。
ＡＦ  ＬＥＤ１０は、撮影時の合焦状態を表示するためのＬＥＤであり、ストロボＬＥＤ１１は、ストロボ充電状態を表すためのＬＥＤである。なお、ＡＦ  ＬＥＤ１０とストロボＬＥＤ１１をメモリカードアクセス中などの別の表示用途に使用しても良い。
【００５５】
操作キーユニット（ＳＷ１〜ＳＷ１３）は、ユーザが操作するキー回路であり、リモコン受光部８は、ユーザが操作するリモコン送信着の信号の受信部である。
音声記録ユニットは、ユーザが音声信号を入力するマイク４５、入力された音声信号を増幅するマイクＡＭＰ４６、増幅された音声信号を記録する音声記録回路４７からなる。
【００５６】
音声再生ユニット５０は、記録された音声信号をスピーカから出力できる信号に変換する音声再生回路５０、変換された音声信号を増幅し、スピーカを駆動させるためのオーディオＡＭＰ４９、音声信号を出力するスピーカ４８からなる。
【００５７】
次に本発明のデジタルカメラの処理動作を図３のフローチャートを参照して説明する。
まず、所望の画像が再生されている時に、画像ファイルに情報を付加するかの判断を行う（ステップＳ１）。情報を付加しない場合は（ステップＳ１／ＮＯ）、そのまま終了となる。情報を付加する場合は（ステップＳ１／ＹＥＳ）、次に画像ファイルとは別に定義された付加情報リストファイルがあるか否かの判断を行う（ステップＳ２）。
【００５８】
付加情報リストファイルは、決められたファイル名のファイルもしくは決められた拡張子のファイルがあった場合は、ファイルを付加情報リストファイルとする。図４は、付加情報リスト例を示した図である。図４では、ａｄｄ＿ｄａｔａ．ｔｘｔが付加情報リストファイルであった場合に、付加情報リストファイルは決められたフォーマットで書かれているものとし、名称テキストと名称テキストの内容や説明である内容テキストのリストが記載されている。
【００５９】
／＊ＩＴＥＭ＊／から／＊ＬＩＳＴ＊／までの間が名称テキストであり、この場合は、「氏名」、「部署」、「役職」の３つの名称テキストが記載されている。／＊ＬＩＳＴ＊／以下が内容テキストのリストであり、＃０１から＃０２の間が「氏名」の内容テキストのリストに相当する。付加情報リストファイルは、テキストエディタでユーザが作成するかもしくは専用アプリケーションソフトで作成する。
【００６０】
付加情報ファイルがあるか否かの判断では（ステップＳ２）、付加情報ファイルが無い場合に（ステップＳ２／ＮＯ）、「情報ファイルなし」の警告表示をし（ステップＳ３）、終了となる。付加情報がある場合に（ステップＳ２／ＹＥＳ）、リストファイルを読み込み、カメラの表示装置に付加情報画面が表示される（ステップＳ４）。付加情報画面は図５に示すように左側に名称テキストが表示される。初期状態では、内容テキストは「未設定」となっており、ユーザの操作により内容テキストデータが選択される。
【００６１】
次に変更する項目が選ばれたかの判断を行う（ステップＳ５）。変更する項目が選ばれない場合は（ステップＳ５／ＮＯ）、未設定状態となり、ステップＳ９に進む。変更する項目が選ばれた場合は（ステップＳ５／ＹＥＳ）、図６に示すように内容テキスト選択画面では、図５に示した付加情報画面から名称テキストを選択すると内容が選択できるようになる。リストは、ａｄｄ＿ｄａｔａ．ｔｘｔから読み込んだもので、その中から選択できる。図７に示すように音声ファイルなどテキスト以外のデータも選択できる。
【００６２】
次に、選択された内容に更新する（ステップＳ７）。ここでは、図８に示すように選択された結果は、名称テキストと内容テキストが表示される。次に、ステップ７で表示された結果で決定するか否かの判断を行う（ステップＳ８）。決定でない場合は（ステップＳ８／ＮＯ）、ステップＳ５の前に戻る。決定する場合には（ステップＳ８／ＹＥＳ）、付加情報を作成し（ステップＳ９）、画像ファイルに埋め込み（ステップＳ１０）、メモリカードに記録する（ステップＳ１１）。この際に、付加情報や画像データは、一度ＳＤＲＡＭ６１に展開され、ファイルイメージを作成した後、メモリカードに記録される。
【００６３】
次に図９に示した付加情報について説明する。
図９は、ＪＰＥＧ画像データを示した図である。図９に示すようにＪＴＩＡ（Ｊａｐａｎ  Ｅｌｅｃｔｒｏｎｉｃｓ  ａｎｄ  Ｉｎｆｏｒｍａｔｉｏｎ  Ｔｅｃｈｎｏｌｏｇｙ  Ｉｎｄｕｓｔｒｉｅｓ  Ａｓｓｏｃｉａｔｉｏｎ  ）にて標準化されているＥｘｉｆ−ＪＰＥＧに準拠した画像データの例である。ＳＯＩ（Ｓｔａｒｔ  Ｏｆ  Ｉｍａｇｅ）やＤＱＴ（Ｄｅｆｉｎｅ  Ｑｕａｎｔｉｚａｔｉｏｎ  Ｔａｂｌｅ  ）、ＤＨＴ（Ｄｅｆｉｎｅ  Ｈｕｆｆｍａｎ  Ｔａｂｌｅ）、ＳＯＦ（Ｓｔａｒｔ  Ｏｆ  Ｆｌａｍｅ）、ＳＯＦ（Ｓｔａｒｔ  Ｏｆ  Ｆｌａｍｅ）、ＥＯＩ（Ｅｎｄ  Ｏｆ  Ｉｍａｇｅ）はＪＰＥＧでは必須のデータである。情報付加データは、画像ファイル内の再生の互換性とは無関係であるアプリケーション・マーカーセグメント（ＡＰＰ：  ａｐｐｌｉｃａｔｉｏｎ  ｍａｋｅｒ  ｓｅｇｍｅｎｔ  ）に記載する。アプリケーション・マーカーセグメントは０ｘ０  から０ｘｆ  まで１６エリア用意されているが、Ｅｘｉｆ−ＪＰＥＧではＡＰＰ１は撮影に関するタグなどが用意されているため、それ以外のエリア、例えばＡＰＰ５を使用する。
【００６４】
アプリケーション・マーカーセグメントは、１セグメント６４ｋｂｙｔｅ  以内であるという規約があるため、付加データが６４ｋｂｙｔｅ  を超える場合は、複数のセグメントに分ける。また、１セグメントの中は、ＡＰＰ５共通ヘッダ部、付加データ共通ヘッダ部、付加データ本体の３つの構成で、付加情報が付加される。セグメント内の実際の情報付加例を図１０に示す。
【００６５】
ＡＰＰ５共通ヘッダ部、付加データ共通ヘッダ部、付加データ本体は、連続したデータになっており、ＡＰＰ５共通ヘッダ部は、セグメントの先頭を示すマーカー、セグメントナンバー、セグメントサイズで構成される。付加データ共通ヘッダには項目数で構成され、付加データ本体に実際の付加情報が付加される。名称テキストと内容テキストは、それぞれ３２ｂｙｔｅずつエリアが用意され、文字以外のエリアは“００”で埋めるものとする。
【００６６】
また、未設定の場合は、３２ｋｂｙｔｅ  すべて“００”で埋めるものとする。なお文字データコードは、ＡＳＣＩＩ  や  Ｓｈｉｆｔ−ＪＩＳ  など、決められた文字コードを使用する。内容テキストの次の２ｂｙｔｅがリスト番号となる。リスト番号は、ａｄｄ＿ｄａｔａ．ｔｘｔの内容リストの並び順である。名称テキストデータ、内容テキストデータ、リスト番号が項目分だけそれぞれ３２ｂｙｔｅ、３２ｂｙｔｅ、２ｂｙｔｅずつ確保されており、最後に終端コード“００００”が書かれる。
【００６７】
また、もう１つの付加方式として、テキストデータ以外も格納できる付加情報を説明する。
図１１に示すように、名称テキストナンバーと名称テキストナンバーのアドレスから次のテキストナンバーまでのオフセットサイズと名称テキストデータ、内容テキストデータ、付加データセグメント、リスト番号を付加する。
また、名称テキストデータ、内容テキストデータは可変長とし、文字コード列の最後に“００”を挿入し、文字列の終端かどうかは“００”で判断する。
【００６８】
また、テキスト以外の付加データは、別セグメントとし、付加データセグメントに付加するセグメントのナンバーを記述する。名称テキストＮｏ、次名称テキストオフセット、付加データセグメント、リスト番号は固定長でそれぞれ２ｂｙｔｅとする。別セグメントとなったテキスト以外の付加データの例が図１１に示すセグメント１とセグメント２である。付加されている情報は、名称テキスト３に付加されているもので、名称テキスト３の付加データセグメントが“１”となっている。
【００６９】
この例では付加される情報が７２ｂｙｔｅのものであり、ＡＰＰ５の１セグメントの規定である６４Ｋｂｙｔｅ  を超えているため２つのセグメントに分かれてデータが付加されている。ＡＰＰ５共通ヘッダ部は、テキストデータのセグメントと同じ要領で記載されており、付加データ共通ヘッダの項目数は“０”とする。次に付加データ本体の先頭に付加するデータの総バイト数は４ｂｙｔｅ確保されており、次にセグメント内の付加データのデータサイズは２ｂｙｔｅ確保されている。図１１の例では、セグメント１内にデータを６０Ｋｂｙｔｅ  付加している。残りの１２Ｋｂｙｔｅ  は、セグメント２に付加する。
【００７０】
ＡＰＰ５共通ヘッダ部と付加データ共通ヘッダ部は、セグメント１と同じ要領となっており、付加データサイズは、残りの１２Ｋｂｙｔｅ  （１２２８８ｂｙｔｅ）と記載する。セグメント内データサイズも同じ１２Ｋｂｙｔｅ  （１２２８８ｂｙｔｅ）と記載し、付加データが続く。１つのセグメントにデータが収まらない時は必ず次のセグメントに続くとする。
【００７１】
本実施形態の適応範囲は、上記のみに限定されず、テキストデータ以外の付加データ部に長いテキストデータを付加したり画像データを付加することも可能とする。また、上記方法も付加方法の１例であり、記述の方法が異なっても構わないとする。
また、画像データの付加情報はデジタルカメラに限らずパーソナルコンピュータのアプリケーションなどにも適応する。
【００７２】
また、名称データと名称データに対応する内容データを画像データに付加することにより、付加情報の整理が行いやすくなり、リストとなっている名称データに対応する内容データの中から適する内容データをユーザが選択することにより、付加情報の設定および付加情報を取り出したときの形式がわかりやすいものとなる。
【００７３】
また、ユーザの選択したリストの内容テキストデータとともに、ユーザの選択したリスト番号を画像に付加することにより、画像ファイルとは別ファイルに定義されている内容テキストデータのリストとの整合を取ることができる。
【００７４】
また、付加する情報としてテキストデータ以外の関連情報も付加できることにより、テキストデータでは説明できないような場合でも、関連ファイルを付加することによって画像データの説明がわかりやすくなる。
【００７５】
また、付加する情報として音声データを関連情報として付加することにより、マウスやキーボードの扱えない場合やマウスやキーボードの操作が苦手な人でも音声の録音をして関連データとして音声を付加することによって容易に画像データの説明ができる。
【００７６】
また、ユーザの選択するリストとして関連情報もリストに含まれ、内容テキストの代わりに関連情報を選択できることにより操作がわかりやすくなる。
【００７７】
また、１つの名称テキストに対してテキストと関連情報の両方を画像データに付加が可能なことで、テキストデータでは画像データの説明できない部分を関連データで補うことができ、画像データに対しての詳細な説明が可能となる。
【００７８】
また、付加する情報は関連データとテキストデータを別のセグメントにすることにより付加情報が整理され、画像データの付加情報の検索などが容易になる。
【００７９】
また、付加する情報には複数のセグメントを管理するための共通ヘッダを有することで画像データの付加情報の検索が容易になる。
【００８０】
また、ＪＰＥＧ準拠画像である場合に、アプリケーションマーカーセグメントに格納することで、画像に付加情報を付加した場合でもＪＰＥＧ準拠となり画像の汎用性が広がる。
【００８１】
また、ＪＰＥＧ  Ｂａｓｅｌｉｎｅ  ＤＣＴ準拠（ＩＳＯ／ＩＥＣ１０９８−１  に規定される）の画像の場合、アプリケーションマーカーセグメントは  ０〜０ｘＦ  まで用意されている。例えばＪＴＩＡ（Ｊａｐａｎ  Ｅｌｅｃｔｒｏｎｉｃｓ  ａｎｄ  Ｉｎｆｏｒｍａｔｉｏｎ  Ｔｅｃｈｎｏｌｏｇｙ  Ｉｎｄｕｓｔｒｉｅｓ  Ａｓｓｏｃｉａｔｉｏｎ  ）にて標準化されているＥｘｉｆ−ＪＰＥＧではアプリケーションマーカーセグメント１に撮影に関する情報などを記載するタグなどが定義されている。他のデータのかかれているアプリケーションマーカーセグメント以外のアプリケーションマーカーセグメントを使用することによりＥｘｉｆ−ＪＰＥＧにも準拠し、アプリケーションマーカーセグメントに書かれている他のデータを上書きしないことができる。
【００８２】
また、ＪＰＥＧ  Ｂａｓｅｌｉｎｅ  ＤＣＴ準拠の画像の場合、１つのアプリケーションマーカーセグメントが６４ｋｂｙｔｅ  以内であることが条件となっている。付加する情報が６４ｋｂｙｔｅ  を超える場合であっても同じアプリケーションマーカーを複数個連続使用してもＪＰＥＧ準拠である。同じアプリケーションマーカーセグメントを使用することにより、他のアプリケーションマーカーには別のデータを記入することができる。
【００８３】
また、ＪＰＥＧ準拠の画像でも、準拠していない非圧縮の画像であっても付加情報の記述形式が同じであれば、ＪＰＥＧ準拠している画像としていない画像が同じ記憶装置の中に混在していても、画像の付加情報の検索が容易になる。
【００８４】
また、情報の付加の選択を撮像装置で行うことが可能であれば、撮影したその場で情報の付加を行うことができ、付加情報の記憶違いなどによる入れ間違いを防止することができる。
【００８５】
また、情報の付加の選択を撮像装置で行うことが可能であれば、撮影したその場で付加した情報の確認が出来るので、記憶違いなどによる確認ミスを防止することが出来る。
【００８６】
また、音声の付加を撮像装置で行うことが可能であれば、撮影したその場で音声の付加を行うことができ、記憶違いなどによる音声の入力ミスを防止すると共に、音声を編集する装置が不要となる。
【００８７】
【発明の効果】
以上の説明から明らかなように画像ファイルとは別ファイルに画像に付加する可能性のあるテキストデータが定義されたファイルをあらかじめ用意し、定義されている情報をユーザが選択することによってテキストデータの入力無しに画像にテキストデータを付加すると共に、付加情報を複数のセグメントに分割して、画像ファイル内の再生の互換性とは無関係のエリアに所定のフォーマットで画像ファイル内に付加することにより、大量の付加情報を他のアプリケーションとの互換性を保ちながら情報を付加することが可能となる。
【図面の簡単な説明】
【図１】本発明の実施形態におけるデジタルカメラの外観を示した図である。
【図２】本発明の実施形態におけるデジタルカメラの構成を示した図である。
【図３】本発明の実施形態におけるデジタルカメラの処理動作を示した図である。
【図４】本発明の実施形態における付加情報リストの例を示した図である。
【図５】本発明の実施形態における付加情報画面を示した図である。
【図６】本発明の実施形態における内容リスト選択画面を示した図である。
【図７】本発明の実施形態における内容リスト選択画面を示した図である。
【図８】本発明の実施形態における選択結果表示画面を示した図である。
【図９】本発明の実施形態におけるＪＰＥＧ画像データを示した図である。
【図１０】本発明の実施形態におけるセグメント内容例を示した図である。
【図１１】本発明の実施形態におけるセグメント内容例を示した図である。
【符号の説明】
１  レリーズシャッター（ＳＷ１）
２  モードダイアル（ＳＷ２）
３  サブＬＣＤ
４  ＳＤカード／電池蓋
５  ストロボ発光部
６  光学ファインダ
７  測距ユニット
８  リモコン受光部
９  鏡胴ユニット
１０  ＡＦ  ＬＥＤ
１１  ストロボＬＥＤ
１２  ＺＯＯＭ  ＳＷ（ＷＩＤＥ）（ＳＷ３）
１３  ＺＯＯＭ  ＳＷ（ＴＥＬＥ）（ＳＷ４）
１４  セルフタイマ／削除ＳＷ（ＳＷ５）
１５  ＭＥＮＵ  ＳＷ（ＳＷ６）
１６  上／ストロボＳＷ（ＳＷ７）
１７  右ＳＷ（ＳＷ８）
１８  ＤＩＳＰＬＡＹ  ＳＷ（ＳＷ９）
１９  下／マクロＳＷ（ＳＷ１０）
２０  左／画像確認ＳＷ（ＳＷ１１）
２１  ＯＫ  ＳＷ（ＳＷ１２）
２２  ＬＣＤモニタ
２３  電源ＳＷ
【図１】
2004236043.tif 000003
【図２】
2004236043.tif 000004
【図３】
2004236043.tif 000005
【図４】
2004236043.tif 000006
【図５】
2004236043.tif 000007
【図６】
2004236043.tif 000008
【図７】
2004236043.tif 000009
【図８】
2004236043.tif 000010
【図９】
2004236043.tif 000011
【図１０】
2004236043.tif 000012
【図１１】
2004236043.tif 000013